(57)【要約】      （修正有）【課題】必要に応じて適当なモジュール端子に交換できる継電器端子構造を提供する。【解決手段】磁性吸引アセンブリ４、第１端子組１、第２端子組２、継電器底台３を含む継電器端子構造である。第１端子組１は、２つの第１端子１１を有し、且つ各第１端子１１の間に電気接続し且つ一体に連通する導通段１２を設ける。第２端子組２は、２つの第２端子２１を含み、２つの第２端子２１は、それぞれ磁性吸引アセンブリ４の２つの中弾性片４８と積層接続し、各第１端子１１末端及び各中弾性片４８末端は、何れも接点１１１，４８１を設ける。継電器の通電により磁性吸引作用を発生し、中弾性片４８末端を連動し、第１端子組１の方向へ変位させ、中弾性片４８の接点４８１を第１端子１１の接点１１１に接触させ、制御ループを形成する。【選択図】図１
0003187677.tif 000002
【実用新案登録請求の範囲】
【請求項１】
磁性吸引アセンブリ、第１端子組及び第２端子組を含み、継電器底台に組み合わせ、そのうち、
該第１端子組は、２つの第１端子を有し、且つ各第１端子の間に電気接続し且つ一体に連通する導通段を設け、該第２端子組は、２つの第２端子を含み、該２つの第２端子は、それぞれ磁性吸引アセンブリの２つの中弾性片と積層接続し、各第１端子末端及び各中弾性片末端は、何れも接点を設け、
このように、継電器の通電が磁性吸引作用を起こし、中弾性片末端を連動し、第１端子組の方向へ変位させ、中弾性片の接点及び第１端子の接点に通電ループを形成させる継電器端子構造。
【請求項２】
前記第１端子組のうち１つの第１端子の末端に継電器底台外に貫通設置される貫通ピンを設け、該第２端子組のうち１つの第２端子は、継電器底台外に貫通設置される貫通ピンを設ける請求項１に記載の継電器端子構造。
【請求項３】
前記第２端子組の各第２端子は、継電器底台外に貫通設置される貫通ピンを設ける請求項１に記載の継電器端子構造。
【請求項４】
磁性吸引アセンブリ、第１端子組及び第２端子組を含み、継電器底台上に組み合わさり、そのうち、
該第１端子組は、２つの第１端子を有し、該第２端子は、片体状を呈し、該第２端子は、磁性吸引アセンブリの２つの中弾性片を電気的に積層接続し、各第１端子末端及び各中弾性片末端は、何れも接点を設け、
このように、継電器の通電が電磁作用を起こし、中弾性片末端を連動し、第１端子組の方向に変位させ、中弾性片の接点及び第１端子の接点に通電ループを形成させる継電器端子構造。
【請求項５】
前記該第１端子は、それぞれ継電器底台に貫通設置される貫通ピンを設ける請求項４に記載の継電器端子構造。
【請求項６】
前記第１端子組のうち１つの第１端子末端は、継電器底台に貫通設置される貫通ピンを設け、該第２端子は、継電器底台に貫通設置される貫通ピンを設ける請求項４に記載の継電器端子構造。
【考案の詳細な説明】
【技術分野】
【０００１】
本考案は、電子部材に関し、特に、必要に応じて適当なモジュール端子に交換でき、必要な制御回路を提供し、コストを大幅に低減し、業者に単一製品によりモジュール化端子を交換させ、電子部材の多様性に応じさせ、業者の産業競争力を向上する継電器端子構造に関する。
【背景技術】
【０００２】
継電器（Relay）は、電子制御部材であり、自動化制御電子回路中に応用され、例えば、通信交換機、工業制御、車輪又は冷房等は、何れもその応用であり、実際には、比較的小さい電流を用い、比較的大きな電流を制御する電子器自動開閉である。継電器は、電子回路において、自動調節、安全保護、変換回路等の役割を担う。
【０００３】
継電器は、使用上に信号入力及び信号出力の動作特性を有するので、継電器は、要求に応じて適当な導電端子を設計し、これにより必要な電子回路の制御を完成し、従って、良好な継電器端子の構造設計を有し、該項の産業に相當重視された技術要点の１つである。
【０００４】
これに鑑み、本考案者は、該項分野の長年の産業経験により、継電器部材関連の開発及び設計を行い、ようやく、要求に応じて適当なモジュール端子を交換でき、必要な制御回路を完成することができ、特定状況の電子回路に適用できる継電器を考案している。
【先行技術文献】
【特許文献】
【０００５】
【特許文献１】特許公開２０００−１６４０９８号公報
【考案の概要】
【考案が解決しようとする課題】
【０００６】
本考案の目的は、継電器端子構造を提供し、必要に応じて適当なモジュール端子に交換でき、必要な制御回路を提供し、従来の継電器が各種回路の要求により適合した制御回路の継電器部材を選択しなければならない状況を改善し、生産コストを大幅に低減し、業者が単一製品によりモジュール化端子を交換するだけで、多様な電子回路に応じることができ、業者の産業競争力を増進する等の効果を持たせることである。
【課題を解決するための手段】
【０００７】
上記目的及び効果を達成する為、本考案の「継電器端子構造」は、磁性吸引アセンブリ、第１端子組及び第２端子組を含み、継電器底台に組み合わせ、そのうち、該第１端子組は、２つの第１端子を有し、且つ各第１端子の間に電気接続し且つ一体に連通する導通段を設け、該第２端子組は、２つの第２端子を含み、該２つの第２端子は、それぞれ磁性吸引アセンブリの２つの中弾性片と積層接続し、各第１端子末端及び各中弾性片末端は、何れも接点を設け、このように、継電器の通電が磁性吸引作用を起こし、中弾性片末端を連動し、第１端子組の方向へ変位させ、中弾性片の接点及び第１端子の接点に通電ループを形成させる。
【０００８】
上記第１端子組のうち１つの第１端子の末端に継電器底台外に貫通設置される貫通ピンを設け、該第２端子組のうち１つの第２端子は、継電器底台外に貫通設置される貫通ピンを設ける。また、該第２端子組の各第２端子は、継電器底台外に貫通設置される貫通ピンを設ける。
【０００９】
本考案の「継電器端子構造」は、第２形態を有する実施例であり、それは、磁性吸引アセンブリ、第１端子組及び第２端子組を含み、継電器底台上に組み合わさり、そのうち、該第１端子組は、２つの第１端子を有し、該第２端子は、片体状を呈し、該第２端子は、磁性吸引アセンブリの２つの中弾性片を電気的に積層接続し、各第１端子末端及び各中弾性片末端は、何れも接点を設け、このように、継電器の通電が電磁作用を起こし、中弾性片末端を連動し、第１端子組の方向に変位させ、中弾性片の接点及び第１端子の接点に通電ループを形成させる。
【００１０】
上記該第１端子は、それぞれ継電器底台に貫通設置される貫通ピンを設ける。また、該第１端子組のうち１つの第１端子末端は、継電器底台に貫通設置される貫通ピンを設け、該第２端子は、継電器底台に貫通設置される貫通ピンを設ける。
【考案の効果】
【００１１】
本考案は、端子モジュール化設計により数種の入力、出力の端子形態を提供でき、使用者に適切な制御ループを選択させ、各項の電子製品中に応用させ、従来の継電器が各種回路の要求に応じて適合した制御回路の継電器部材を選択する必要がある点を改善し、大幅に生産コストを低減し、業者に単一製品によりモジュール化端子を交換させるだけで多様な電子回路に応じさせることができ、業者の産業競争力を増進する等の効果を有する。
【図面の簡単な説明】
【００１２】
【図１】本考案の局部分解状態の立体説明図である。
【図２】本考案の組み合わせ状態の立体説明図である。
【図３】本考案の局部断面説明図である。
【図４】本考案の第１端子を、貫通ピンを有するものに交換した分解状態の立体説明図である。
【図５Ａ】本考案の電子回路の説明図である。
【図５Ｂ】本考案の電子回路の説明図である。
【図５Ｃ】本考案の電子回路の説明図である。
【図６】本考案の第２実施例の局部分解状態の立体説明図である。
【図７】本考案の第２実施例の組み合わせ状態の立体説明図である。
【図８】本考案の第２実施例の局部断面説明図である。
【図９】本考案の第２端子を、貫通ピンを有するものに交換した分解状態の立体説明図である。
【図１０Ａ】本考案の第２実施例の電子回路説明図である。
【図１０Ｂ】本考案の第２実施例の電子回路説明図である。
【図１０Ｃ】本考案の第２実施例の電子回路説明図である。
【考案を実施するための形態】
【００１３】
本考案は、継電器端子の構造であり、必要に応じて適当なモジュール端子に交換でき、必要な制御回路を提供し、従来の継電器が各種回路の要求により適合した制御回路の継電器部材を選択しなければならない状況を改善し、生産コストを大幅に低減し、業者は、単一製品によりモジュール化端子を交換するだけで、多様な電子回路に応じることができ、業者の産業競争力を増進する等の効果を有し、これにより本考案の目的及び効果を達成する。上記の目的及び効果を達成する為、本考案は、下記の実施例を挙げ、図１〜図３を参照し、それは、第１端子組１及び第２端子組２を含み、継電器底台２上に組み合わせ、そのうち、該継電器底台３上に磁性吸引アセンブリ４を組み合わせ、該磁性吸引アセンブリ４は、ワイヤホイール４１と、ワイヤホイール４１両端の間に設置される支持構造４２と、ワイヤホイール４１両端の間に巻き付けられるコイル４３と、ワイヤホイール４１に被覆するコイル４３の中間位置に貫通設置される鉄心４４と、支持構造４２上に設置される磁極４５と、磁極４５一端に設置される挿入片４６と、ワイヤホイール４１上に設置され、コイル４３と電気接続するコイル端子４７と、挿入片４６と組み合わせられる中弾性片４８と、を含む（上記磁性吸引アセンブリ４は、公知技術であり、本考案の技術特徴とするところでないので、ここでは、ただ簡略な説明のみとする）。該第１端子組１は、２つの第１単位１１を含み、且つ該第１端子組１は、該２つの第１端子１１の間を電気接続する導通段１２を設け（ここにおける導通段１２は、一端がそのうち１つの第１端子１１一側に一体に成形され、且つ片体構造を呈し、該導通段１２末端がもう１つの第１端子１１側面に係止する）、該第１端子組１は、２つの第１端子１１を含み（該第１端子１１が相互に平行配列を呈する）、且つ各第１端子１１の間に電気接続し且つ一体に連通する導通段１２を設け（該導通段１２が該各第１端子１１の末端付近に位置し、このように、該第１端子組１は、薄片であり且つフォーク状を呈する部材である）、該第２端子組２は、２つの第２端子２１を含み、且つ各第２端子２１は、継電器底台３外に貫通設置される貫通ピン２２を設け、該２つの第２端子２１は、それぞれ磁性吸引アセンブリ４の２つの中弾性片４８と積層接続される。各第１端子１１末端及び各中弾性片４８末端は、接点１１１、４８１を設ける。
【００１４】
本考案の使用時、コイル端子４７の通電により、コイル４３に流れる電流が電磁効果を発生し、鉄心４４により磁極４５を磁性吸引でき、且つ挿入片４６末端は、磁極４５の動作に従い、挿入片４６他端に中弾性片４８を連動させ、中弾性片４８の各接点４８１をそれぞれ第１端子１１の各接点１１１と電気接触させ、順に１つの第２端子２１、そのうち１つの中弾性片４８、そのうち１つの第１端子１１、導通段１２、もう１つの第１端子１１、もう１つの中弾性片４８、もう１つの第２端子２１から構成される制御ループ（１つの信号が入力され且つ１つの信号が出力される制御ループ）を形成し、回路の導通又は切り換えを行う。
【００１５】
また、本考案は、該第１端子組１のうち１つの第１端子１１末端に継電器底台３外に貫通設置される貫通ピン１１２を設け、同時に第２端子組２は、ただ貫通ピン２２を採用し、図４に示すように、１つの信号が入力され且つ１つの信号が出力される制御ループを形成する。また、本考案は、第１端子１１及び第２端子２１に設置される貫通ピン１１２，２２の数量、及び貫通ピン１１２，２２が対応する端子の位置により、図５の数種の形態の制御電子回路を提供することができ、図５（a）部分は、上記実施例の第２端子２１にそれぞれ貫通ピン２２を設けたものであり、図５（ｂ）、図５（ｃ）部分は、第１端子１１に貫通ピン１１２を設け、第２端子２１に貫通２を設けた等の制御電子回路形態である。
【００１６】
本考案の「継電器端子構造」は、第２形態を有する実施例であり、図６〜図８に示すように、本実施例は、上記実施例中の導通段１２の構造を有さず、以下に更に上記実施例と異なる箇所を説明し、同一の箇所は、繰り返し記載せず、そのうち、該第１端子に組１は、２つの第１端子１１を含み、各第１端子１１には、継電器底台３外に貫通設置される貫通ピン１１２を設け、該第２端子２１は、片体状を呈し、該第２端子２１は、磁性吸引アセンブリ４の２つの中弾性片４８を電気的に積層接続する。各第１端子１１末端及び各中弾性片４８末端は、何れも接点１１１，４８１を設ける。これに基づき、継電器の通電により磁性吸引作用を発生し、中弾性片４８末端を連動し、第１端子組１の方向へ変位させ、中弾性片４８の接点４８１を第１端子１１の接点１１１に接触させ、１つの第１端子１１、そのうち１つの中弾性片４８、第２端子２１、もう１つの中弾性片４８、もう１つの第１端子１１から構成される制御ループを形成する。
【００１７】
また、本考案は、該片体状第２端子２１に継電器底台３外に貫通設置される貫通ピン２１１を設けることができ、第１端子組１は、貫通ピン１１２等の形態を採用し、図９に示すように、１つの信号が入力され、且つ１つの信号が出力される制御ループを形成する。
【００１８】
本実施例は、第１端子１１及び第２端子２１が設置する貫通ピン１１２，２２の数量、及び貫通ピン１１２，２２が対応する端子の位置により、図１０の数種の形態の制御電子回路を提供することができ、図１０（a）部分は、上記実施例の第１端子１１がそれぞれ貫通ピン１１２を設け、図１０（ｂ）及び図１０（c）部分は、第１端子１１が貫通ピン１１２を設け、第２端子２１が貫通ピン２２を設ける等の制御電子回路形態である。
【００１９】
上記実施例の説明後、本考案が端子モジュール化設計により数種の入力、出力の端子形態を提供でき、使用者に適切な制御ループを選択させ、各項の電子製品中に応用させ、従来の継電器が各種回路の要求に応じて適合した制御回路の継電器部材を選択する必要がある点を改善し、大幅に生産コストを低減し、業者に単一製品によりモジュール化端子を交換させるだけで多様な電子回路に応じさせることができ、業者の産業競争力を増進する等の効果を有することを分かることができる。
【００２０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２１】
１  第１端子組
１１  第１端子
１１１  接点
１１２  貫通ピン
１２  導通段
２  第２端子組
２１  第２端子
２１１  貫通ピン
２２  貫通ピン
３  継電器底台
４  磁性吸引アセンブリ
４１  ワイヤホイール
４２  支持構造
４３  コイル
４４  鉄心
４５  磁極
４６  挿入片
４７  コイル端子
４８  中弾性片
４８１  接点
【図１】
0003187677.tif 000003
【図２】
0003187677.tif 000004
【図３】
0003187677.tif 000005
【図４】
0003187677.tif 000006
【図５Ａ】
0003187677.tif 000007
【図５Ｂ】
0003187677.tif 000008
【図５Ｃ】
0003187677.tif 000009
【図６】
0003187677.tif 000010
【図７】
0003187677.tif 000011
【図８】
0003187677.tif 000012
【図９】
0003187677.tif 000013
【図１０Ａ】
0003187677.tif 000014
【図１０Ｂ】
0003187677.tif 000015
【図１０Ｃ】
0003187677.tif 000016
【手続補正書】
【提出日】平成25年10月3日(2013.10.3)
【手続補正１】
【補正対象書類名】実用新案登録請求の範囲
【補正対象項目名】請求項１
【補正方法】変更
【補正の内容】
【請求項１】
磁性吸引アセンブリ、第１端子組、第２端子組、継電器底台を含む継電器端子構造であって、
該第１端子組は、２つの第１端子を有し、且つ各第１端子の間に電気接続し且つ一体に連通する導通段を設け、該第２端子組は、２つの第２端子を含み、該２つの第２端子は、それぞれ磁性吸引アセンブリの２つの中弾性片と積層接続し、各第１端子末端及び各中弾性片末端は、何れも接点を設け、
継電器の通電により磁性吸引作用を発生し、中弾性片末端を連動し、第１端子組の方向へ変位させ、中弾性片の接点を第１端子の接点に接触させ、１つの第１端子、そのうち１つの中弾性片、第２端子、もう１つの中弾性片、もう１つの第１端子、から構成される制御ループを形成することを特徴とする、継電器端子構造。
【手続補正２】
【補正対象書類名】実用新案登録請求の範囲
【補正対象項目名】請求項４
【補正方法】変更
【補正の内容】
【請求項４】
磁性吸引アセンブリ、第１端子組、第２端子組、継電器底台、を含む継電器端子構造であって、
該第１端子組は、２つの第１端子を有し、該第２端子は、片体状を呈し、該第２端子は、磁性吸引アセンブリの２つの中弾性片を電気的に積層接続し、各第１端子末端及び各中弾性片末端は、何れも接点を設け、
継電器の通電により磁性吸引作用を発生し、中弾性片末端を連動し、第１端子組の方向へ変位させ、中弾性片の接点を第１端子の接点に接触させ、１つの第１端子、そのうち１つの中弾性片、第２端子、もう１つの中弾性片、もう１つの第１端子、から構成される制御ループを形成することを特徴とする、継電器端子構造。